(57)【要約】      （修正有）【課題】画像形成装置を使用中の使用者に応じて報知を変更して、原稿の置き忘れや紛失を効果的に抑制することができる画像形成装置、及び画像形成装置の制御方法を提供する。【解決手段】複合機１は、使用者を識別するログイン処理部１１３と、識別された使用者を示す使用者情報を記憶する記憶部１０７と、原稿台における原稿の有無を検知する第１原稿検知センサー１４３と、設定された条件に該当する複合機１の動作状態の変化又は複合機１に対する操作が生じた場合に第１原稿検知センサー１４３の検知結果を取得する取得部１１２と、取得部１１２により原稿が配置されていることを示す検知結果が取得された場合に、検知された原稿を使用した使用者を、使用者情報に基づき特定する特定部１１５と、特定部１１５が特定した使用者と、複合機１を使用中の使用者とが同一であるか否かを判定した結果に基づき異なる報知を実行する報知制御部１１６と、を備える。【選択図】図１
2019097086.tif 000002
【特許請求の範囲】
【請求項１】
原稿を光学的に読み取る機能を備えた画像形成装置であって、
前記画像形成装置を使用する使用者を識別する識別部と、
前記識別部により識別された前記使用者を示す使用者情報を記憶する履歴記憶部と、
読取位置に配置された前記原稿を光学的に読み取る読取部と、
前記読取位置における前記原稿の有無を検知する検知部と、
前記読取部の読取結果に基づき記録媒体に画像を形成する画像形成部と、
設定された条件に該当する前記画像形成装置の動作状態の変化又は前記画像形成装置に対する操作が生じた場合に前記検知部の検知結果を取得する取得部と、
前記取得部により前記原稿が配置されていることを示す前記検知結果が取得された場合に、検知された前記原稿を使用した前記使用者を、前記使用者情報に基づき特定する特定部と、
前記特定部が特定した前記使用者と、前記画像形成装置を使用中の前記使用者とが同一であるか否かを判定した結果に基づき異なる報知を実行する報知制御部と、を備える画像形成装置。
【請求項２】
表示部を備え、
前記報知制御部は、前記特定部が特定した前記使用者と、前記画像形成装置を使用中の前記使用者とが同一である場合と同一でない場合とで、前記表示部に異なる表示を実行させる、請求項１記載の画像形成装置。
【請求項３】
前記報知制御部は、前記特定部が特定した前記使用者と、前記画像形成装置を使用中の前記使用者とが同一でない場合に、前記特定部が特定した前記使用者に関する情報を前記表示部に表示させる、請求項２記載の画像形成装置。
【請求項４】
前記履歴記憶部は、前記識別部により識別された前記使用者情報と、前記読取部により前記原稿を読み取る機能を使用した履歴とを対応付けて記憶する、請求項１から３のいずれか１項に記載の画像形成装置。
【請求項５】
前記画像形成装置の動作状態を、通常動作状態と、前記通常動作状態に比べ消費電力が小さい省電力状態とに切り替える省電力制御部を備え、
前記取得部は、前記省電力制御部が前記省電力状態から前記通常動作状態に切り替えたときに前記検知部の検知結果を取得する、請求項１から４のいずれか１項に記載の画像形成装置。
【請求項６】
データを受信する通信部を備え、
前記省電力制御部は、前記省電力状態で前記通信部により前記データを受信した場合に、前記画像形成装置の動作状態を前記省電力状態から前記通常動作状態に切り替え、
前記画像形成部は、前記通信部で受信した前記データに基づき前記記録媒体に画像を形成し、
前記取得部は、前記通信部で前記データを受信したことを契機として前記省電力制御部が前記省電力状態から前記通常動作状態に切り替えたときに、前記検知部の検知結果を取得しない、請求項５記載の画像形成装置。
【請求項７】
前記読取位置を覆う開閉可能なカバーを備え、
前記取得部は、前記読取部が停止中に前記カバーが開かれた場合に、前記検知部の検知結果を取得する、請求項１から６のいずれか１項に記載の画像形成装置。
【請求項８】
前記読取部によって前記原稿を光学的に読み取り可能な第２読取位置を有し、
前記原稿を前記第２読取位置に搬送し、前記第２読取位置から待機位置に前記原稿を搬送する搬送部を備え、
前記取得部は、前記搬送部が前記原稿を搬送する際に、前記検知部の検知結果を取得する、請求項１から７のいずれか１項に記載の画像形成装置。
【請求項９】
原稿を光学的に読み取る機能を備えた画像形成装置の制御方法であって、
前記画像形成装置を使用する使用者を識別し、
識別した前記使用者を示す使用者情報を履歴記憶部に記憶し、
読取位置に配置された原稿を光学的に読み取り、
読取結果に基づき記録媒体に画像を形成し、
設定された条件に該当する前記画像形成装置の動作状態の変化又は前記画像形成装置に対する操作が生じた場合に、前記読取位置における前記原稿の有無を検知し、検知結果を取得し、
前記原稿が配置されていることを示す前記検知結果が取得された場合に、検知された前記原稿を使用した前記使用者を、前記使用者情報に基づき特定し、
特定した前記使用者と、前記画像形成装置を使用中の前記使用者とが同一であるか否かを判定した結果に基づき異なる報知を実行する、画像形成装置の制御方法。
【発明の詳細な説明】
【技術分野】
【０００１】
本発明は、画像形成装置、及び画像形成装置の制御方法に関する。
【背景技術】
【０００２】
従来、画像形成装置では原稿台に置かれた原稿を取り忘れてしまう場合があった。このため、原稿の取り忘れを防止する対策が提案されている（例えば、特許文献１参照）。
特許文献１に開示の画像形成装置は、原稿の取り忘れが検知された場合に、原稿の取り忘れを通知するメッセージを表示部に表示させ、一定時間経過しても、原稿の取り忘れが解消されない場合には原稿を取り忘れた個人を特定する。そして、画像形成装置は、特定した個人のメールアドレス宛てに原稿の取り忘れ情報を含む電子メールを送信する。
【先行技術文献】
【特許文献】
【０００３】
【特許文献１】特開２０１６−２２０１０６号公報
【発明の概要】
【発明が解決しようとする課題】
【０００４】
しかしながら、画像形成装置が原稿の置き忘れを検知したときに、原稿を置き忘れた使用者が画像形成装置の近くにいるとは限らず、他の使用者が画像形成装置を使用している場合もある。原稿を置き忘れた使用者が画像形成装置を使用中である場合と、他の使用者が画像形成装置を使用中である場合とで同一の報知を行っても、有効な報知とはならない場合がある。
本発明は、画像形成装置を使用中の使用者に応じて報知を変更して、原稿の置き忘れや紛失を効果的に抑制することを目的とする。
【課題を解決するための手段】
【０００５】
上記課題を解決するため、本発明は、原稿を光学的に読み取る機能を備えた画像形成装置であって、前記画像形成装置を使用する使用者を識別する識別部と、前記識別部により識別された前記使用者を示す使用者情報を記憶する履歴記憶部と、読取位置に配置された前記原稿を光学的に読み取る読取部と、前記読取位置における前記原稿の有無を検知する検知部と、前記読取部の読取結果に基づき記録媒体に画像を形成する画像形成部と、設定された条件に該当する前記画像形成装置の動作状態の変化又は前記画像形成装置に対する操作が生じた場合に前記検知部の検知結果を取得する取得部と、前記取得部により前記原稿が配置されていることを示す前記検知結果が取得された場合に、検知された前記原稿を使用した前記使用者を、前記使用者情報に基づき特定する特定部と、前記特定部が特定した前記使用者と、前記画像形成装置を使用中の前記使用者とが同一であるか否かを判定した結果に基づき異なる報知を実行する報知制御部と、を備える。
この構成によれば、画像形成装置を使用中の使用者が、読取位置に置かれた原稿を使用した使用者であるか否かに応じて報知が変更される。従って、画像形成装置を使用中の使用者に対して効果的な報知を行い、原稿の置き忘れや紛失を効果的に抑制することができる。
【０００６】
また、本発明は、表示部を備え、前記報知制御部は、前記特定部が特定した前記使用者と、前記画像形成装置を使用中の前記使用者とが同一である場合と同一でない場合とで、前記表示部に異なる表示を実行させる。
この構成によれば、画像形成装置を使用中の使用者が、原稿を使用した使用者であるか否かに応じて表示部に異なる表示が表示される。従って、画像形成装置を使用中の使用者に応じた効果的な表示を表示させて、原稿の置き忘れや紛失を効果的に抑制することができる。
【０００７】
また、本発明は、前記報知制御部は、前記特定部が特定した前記使用者と、前記画像形成装置を使用中の前記使用者とが同一でない場合に、前記特定部が特定した前記使用者に関する情報を前記表示部に表示させる。
この構成によれば、画像形成装置を使用中の使用者と、原稿を使用した使用者とが同一でない場合に、特定された使用者に関する情報が表示部に表示される。従って、画像形成装置を使用中の使用者に、原稿を使用した使用者に関する情報を通知することができ、原稿の紛失を効果的に抑制することができる。
【０００８】
また、本発明は、前記履歴記憶部は、前記識別部により識別された前記使用者情報と、前記読取部により前記原稿を読み取る機能を使用した履歴とを対応付けて記憶する。
この構成によれば、原稿を読み取る機能を使用した使用者の使用者情報を特定することができる。
【０００９】
また、本発明は、前記画像形成装置の動作状態を、通常動作状態と、前記通常動作状態に比べ消費電力が小さい省電力状態とに切り替える省電力制御部を備え、前記取得部は、前記省電力制御部が前記省電力状態から前記通常動作状態に切り替えたときに前記検知部の検知結果を取得する。
この構成によれば、画像形成装置の動作状態が省電力状態から通常動作状態に切り替えられたときに検知部の検知結果を取得することができる。従って、画像形成装置が使用されるときに読取位置における原稿の有無を検知して、読取位置に原稿がある場合には報知を行うことができる。
【００１０】
また、本発明は、データを受信する通信部を備え、前記省電力制御部は、前記省電力状態で前記通信部により前記データを受信した場合に、前記画像形成装置の動作状態を前記省電力状態から前記通常動作状態に切り替え、前記画像形成部は、前記通信部で受信した前記データに基づき前記記録媒体に画像を形成し、前記取得部は、前記通信部で前記データを受信したことを契機として前記省電力制御部が前記省電力状態から前記通常動作状態に切り替えたときに、前記検知部の検知結果を取得しない。
この構成によれば、通信部がデータを受信し、画像形成装置の動作状態を省電力状態から通常動作状態に切り替えるときは検知部の検知結果を取得しない。従って、画像形成装置の周囲に使用者がいない場合には、報知を行わないようにすることができる。
【００１１】
また、本発明は、前記読取位置を覆う開閉可能なカバーを備え、前記取得部は、前記読取部が停止中に前記カバーが開かれた場合に、前記検知部の検知結果を取得する。
この構成によれば、読取部が停止中にカバーが開かれた場合に、検知部の検知結果を取得することができる。従って、カバーが開かれ、使用者が画像形成装置を使用していると判定される場合に、読取位置における原稿の有無を検知し、読取位置に原稿がある場合には報知を行うことができる。
【００１２】
また、本発明は、前記読取部によって前記原稿を光学的に読み取り可能な第２読取位置を有し、前記原稿を前記第２読取位置に搬送し、前記第２読取位置から待機位置に前記原稿を搬送する搬送部を備え、前記取得部は、前記搬送部が前記原稿を搬送する際に、前記検知部の検知結果を取得する。
この構成によれば、搬送部が原稿を搬送する際に、検知部の検知結果を取得することができる。従って、画像形成装置の周囲に使用者がいる場合に、報知を行うことができる。
【００１３】
上記課題を解決するため、本発明は、原稿を光学的に読み取る機能を備えた画像形成装置の制御方法であって、前記画像形成装置を使用する使用者を識別し、識別した前記使用者を示す使用者情報を履歴記憶部に記憶し、読取位置に配置された原稿を光学的に読み取り、読取結果に基づき記録媒体に画像を形成し、設定された条件に該当する前記画像形成装置の動作状態の変化又は前記画像形成装置に対する操作が生じた場合に、前記読取位置における前記原稿の有無を検知し、検知結果を取得し、前記原稿が配置されていることを示す前記検知結果が取得された場合に、検知された前記原稿を使用した前記使用者を、前記使用者情報に基づき特定し、特定した前記使用者と、前記画像形成装置を使用中の前記使用者とが同一であるか否かを判定した結果に基づき異なる報知を実行する。
この構成によれば、画像形成装置を使用中の使用者が、原稿を使用した使用者であるか否かに応じて報知が変更される。従って、画像形成装置を使用中の使用者に対して効果的な報知を行い、原稿の置き忘れや紛失を効果的に抑制することができる。
【図面の簡単な説明】
【００１４】
【図１】複合機の構成図。
【図２】スキャナー部の概略を示す構成図。
【図３】使用者情報テーブルの構成図。
【図４】複合機の第１の動作を示すフローチャート。
【図５】複合機の第２の動作を示すフローチャート。
【発明を実施するための形態】
【００１５】
以下、本発明の実施形態について図面を参照しながら説明する。
【００１６】
図１は、本発明の画像形成装置として動作する複合機１の構成図である。
複合機１は、ＬＡＮ等のネットワーク１０を介して外部のコンピューター５とデータ通信を行うデータ通信機能や、ファックス回線網２０を介して他のＦＡＸ装置とファクシミリ通信を行うファクシミリ機能を備える。また、複合機１は、外部のコンピューター５やＦＡＸ装置から受信したデータに基づく画像を記録媒体に印刷する印刷機能や、原稿の画像を読み取るスキャン機能を備える。以下、複合機１の構成について説明する。
【００１７】
複合機１は、コントローラー１００、操作パネル１３０、開閉検知センサー１４１、第１原稿検知センサー１４３、第２原稿検知センサー１４５、スキャナー部１５０、印刷部１７０及び電源部１８０を備える。
【００１８】
コントローラー１００は、ネットワークインターフェース部（以下、インターフェースをＩ／Ｆと略記する）１０１、ファクシミリＩ／Ｆ部１０３、入出力Ｉ／Ｆ部１０５、記憶部１０７及び制御部１１０を備える。コントローラー１００の備える各部は、バス１２０を介して相互に接続される。
【００１９】
ネットワークＩ／Ｆ部１０１は、ネットワーク１０に接続するインターフェースである。複合機１は、ネットワークＩ／Ｆ部１０１を介してネットワーク１０に接続することにより、外部のコンピューター５に通信可能に接続される。ネットワークＩ／Ｆ部１０１は、本発明の「通信部」に相当する。
【００２０】
ファクシミリＩ／Ｆ部１０３は、ファックス回線網２０を介してファクシミリ通信を行う。ファクシミリＩ／Ｆ部１０３は、制御部１１０の制御に従い、相手先に送信する画像データを符号化してファクシミリ通信用のファクシミリデータを生成する。また、ファクシミリＩ／Ｆ部１０３は、例えば、ＩＴＵ−Ｔ勧告等に規定された通信手順に従ってファクシミリデータの送信及び受信等のファクシミリ通信を行う。さらに、ファクシミリＩ／Ｆ部１０３は、受信したファクシミリデータの逆符号化を行って画像データを取得する。
【００２１】
入出力Ｉ／Ｆ部１０５は、操作パネル１３０、開閉検知センサー１４１、第１原稿検知センサー１４３、第２原稿検知センサー１４５、スキャナー部１５０及び印刷部１７０に接続するインターフェースである。
【００２２】
操作パネル１３０は、操作部１３１及び表示部１３２を備える。
操作部１３１は、例えば、スキャナー部１５０や、印刷部１７０、ネットワークＩ／Ｆ部１０１、ファクシミリＩ／Ｆ部１０３等を操作する操作ボタン等を備え、ユーザーの操作を受け付ける受付部として動作する。
表示部１３２は、例えば、ＬＣＤ（liquid crystal display）等のディスプレイであり、例えば、複合機１が備える各機能を設定する設定画面等が表示される。操作パネル１３０は、操作部１３１としての機能と、表示部１３２としての機能を併せ持つタッチパネルを有する構成としてもよい。
【００２３】
スキャナー部１５０は、原稿台１５１に載置された原稿の画像を読み取り、読み取った画像のイメージデータを生成するハードウェアである。また、スキャナー部１５０は、自動原稿送り装置（ＡＤＦ：Auto Document Feeder）１６０を備える。スキャナー部１５０は、本発明の「原稿を光学的に読み取る機能」及び「読取部」に相当する。ＡＤＦ１６０は、本発明の「搬送部」に相当する。
【００２４】
図２は、スキャナー部１５０の概略を示す構成図である。
ここで、スキャナー部１５０の構成の概略を説明する。スキャナー部１５０は、原稿が載置される原稿台１５１と、原稿台１５１及び読み取り窓１５２を上からカバーする原稿台カバー１５３とを備える。原稿台１５１は、原稿の画像を読み取る「読取位置」に相当する。また、原稿台カバー１５３は、本発明の「カバー」に相当し、複合機１の本体にヒンジ機構を介して結合され開閉可能に構成される。読み取り窓１５２は、ＡＤＦ１６０によって搬送された原稿の画像が、後述するキャリッジ１５９に搭載されたイメージセンサー１５７によって読み取られる読み取り位置であり、本発明の「第２読取位置」に相当する。
【００２５】
また、スキャナー部１５０は、イメージセンサー１５７が搭載されたキャリッジ１５９と、キャリッジ１５９を駆動するキャリッジ駆動部１５５とを備える。
イメージセンサー１５７は、受光した光の強さに応じた信号を出力する複数の受光素子を、主走査方向に並べた構成のラインセンサーである。主走査方向は、キャリッジ１５９の移動方向である副走査方向に垂直な方向である。
キャリッジ駆動部１５５は、キャリッジ１５９を副走査方向に搬送する。キャリッジ１５９は、不図示のガイド用シャフトにスライド自在に取り付けられており、キャリッジ駆動部１５５の駆動力によって回転するベルト（不図示）により牽引されて副走査方向に往復運動する。イメージセンサー１５７は、キャリッジ１５９と共に副走査方向に移動しながら原稿台１５１に置かれた原稿の画像を読み取る。
【００２６】
ＡＤＦ１６０は、給紙トレイ１６１、搬送ローラー１６３、排紙トレイ１６５及び駆動モーター１６７を備える。
給紙トレイ１６１には、複数ページを有する原稿が載置される。搬送ローラー１６３は、駆動モーター１６７によって駆動され、給紙トレイ１６１に載置された原稿を１枚ずつ読み取り窓１５２の上面に搬送する。ＡＤＦ１６０により原稿を搬送させながら読み取り動作を行う場合、キャリッジ１５９は、読み取り窓１５２の下の所定位置に固定される。読み取り窓１５２の上面に搬送された原稿は、イメージセンサー１５７によって画像が読み取られる。画像を読み取られた原稿は、搬送ローラー１６３により搬送され、排紙トレイ１６５に排出される。排紙トレイ１６５は、本発明の「待機位置」に相当する。
【００２７】
開閉検知センサー１４１は、メカニカル式又は光学式のセンサーであり、スキャナー部１５０に設けられた原稿台カバー１５３の開閉を検出するセンサーである。開閉検知センサー１４１は、原稿台カバー１５３の開閉状態に対応した検知信号を制御部１１０に出力する。検知信号は、例えば、原稿台カバー１５３が開いたときにハイレベルとなり、閉じたときにローレベルとなる信号である。
【００２８】
第１原稿検知センサー１４３は、原稿台１５１に原稿があるか否かを検知するセンサーである。第１原稿検知センサー１４３も、開閉検知センサー１４１と同様に、メカニカル式又は光学式のセンサーにより構成される。第１原稿検知センサー１４３は、例えば、原稿台１５１に原稿がある場合にハイレベル、原稿台１５１に原稿がない場合にはローレベルの検知信号を制御部１１０に出力する。
本実施形態では、第１原稿検知センサー１４３を設けて原稿台１５１に原稿があるか否かを検知したが、イメージセンサー１５７の読み取り結果に基づいて原稿台１５１に原稿があるか否かを判定してもよい。例えば、制御部１１０は、キャリッジ１５９を副走査方向に所定距離だけ移動させながら、イメージセンサー１５７に読み取りを実行させる。制御部１１０は、イメージセンサー１５７の読み取り結果に基づいて原稿台１５１に原稿があるか否かを判定する。第１原稿検知センサー１４３は、本発明の「検知部」に相当する。
【００２９】
第２原稿検知センサー１４５は、例えば、ＡＤＦ１６０の給紙トレイ１６１に配置され、給紙トレイ１６１に原稿があるか否かを検知する。第２原稿検知センサー１４５も、開閉検知センサー１４１と同様に、メカニカル式又は光学式のセンサーにより構成される。第２原稿検知センサー１４５は、例えば、給紙トレイ１６１に原稿がある場合にハイレベル、給紙トレイ１６１に原稿がない場合にはローレベルの検知信号を制御部１１０に出力する。
【００３０】
印刷部１７０は、複合機１により生成した印刷データや、コンピューター５から受信した印刷データに基づいて、印刷用紙等の記録媒体に印刷を行うハードウェア部であり、制御部１１０から受け取る印刷データに従って記録媒体に画像を形成する。印刷部１７０は、本発明の「画像形成部」に相当する。
【００３１】
電源部１８０は、例えば商用電源から複合機１で使用する電力を生成する。電源部１８０は、制御部１１０の制御に従い、生成した電力を複合機１の各部に供給する。図１において、電源部１８０と複合機１の各部とを接続し、各部に電力を供給する電源線の図示は省略する。
【００３２】
記憶部１０７は、例えば、ハードディスク装置等の補助記憶装置である。記憶部１０７は、フラッシュメモリーやＥＥＰＲＯＭ（Electrically Erasable Programmable ROM）等の半導体メモリーや、ＣＤ（Compact Disc）、ＤＶＤ（Digital Versatile Disc）、ＢＤ（Blu-ray（登録商標） Disc）等の光ディスクにより代替可能である。記憶部１０７は、例えば、制御部１１０が実行する制御プログラムや、スキャナー部１５０により読み取られた原稿のイメージデータ、ファクシミリＩ／Ｆ部１０３が受信したファクシミリデータ等を記憶する。
【００３３】
記憶部１０７は、複合機情報１０８及び使用者情報テーブル１０９を記憶する。複合機情報１０８は、複合機１を特定する情報であり、例えば、複合機１の機種名や、複合機１に設定された整理番号、複合機１の設置場所等を示す情報である。
【００３４】
図３は、使用者情報テーブル１０９の構成を示す図である。
使用者情報テーブル１０９は、使用者を識別するＩＤ（以下、使用者ＩＤという）や、パスワード、所属部署、メールアドレス、許否情報等の情報を、使用者の氏名に対応づけて登録したテーブルである。氏名、所属部署、メールアドレスは、使用者を特定可能な情報であり、以下ではこれらの情報を総称して本人情報という。本人情報は、本発明の使用者に関する情報に相当する。許否情報は、本人情報を表示部１３２に表示させてよいか否かを示す情報である。使用者ＩＤは、本発明の「使用者情報」に相当する。
【００３５】
制御部１１０は、ＣＰＵ、ＲＯＭ、ＲＡＭ及びその他の周辺回路（いずれも不図示）をハードウェアとして備える。ＣＰＵは、ＲＯＭや記憶部１０７に記憶された制御プログラムに従って演算処理を実行するプロセッサーである。ＲＯＭは、不揮発性のメモリーであり、例えば、制御プログラムや演算データを記憶する。ＲＡＭは、プロセッサーが実行する制御プログラムや演算データを一時記憶するワークエリアとして使用される。
制御部１１０は、例えば、スキャナー部１５０に読取指示を出す処理、印刷部１７０に印刷指示を出すと共に印刷用のデータを受け渡す処理、ファクシミリＩ／Ｆ部１０３によるファクシミリ通信を制御する処理等、複合機１における様々な制御を行う。
【００３６】
本実施形態は、制御部１１０が一つのプロセッサー（ＣＰＵ）を備え、このプロセッサーが制御プログラムに従った処理を実行することで制御部１１０の機能を実現するが、複数のプロセッサー又は半導体チップにより制御部１１０の機能を実現してもよい。例えば、制御部１１０が、ＳｏＣ（System-on-a-Chip）やＭＣＵ（Micro Control Unit）、ＦＰＧＡ（Field-Programmable Gate Array）等の副処理装置（co-processor）をさらに備える構成であってもよい。また、制御部１１０は、ＣＰＵ及び副処理装置の双方を協働させるか、あるいは双方のうちの一方を選択的に用いて各種の制御を行ってもよい。
【００３７】
制御部１１０は、省電力制御部１１１、取得部１１２、ログイン処理部１１３、履歴作成部１１４、特定部１１５及び報知制御部１１６を機能ブロックとして備える。機能ブロックは、ＣＰＵが制御プログラムに従って演算処理を実行することで実現される機能をブロックとして便宜的に示したものであり、特定のアプリケーションソフトウェアやハードウェアを示すものではない。
【００３８】
省電力制御部１１１は、複合機１の動作状態の切り替えを行う。省電力制御部１１１は、複合機１の動作状態を通常動作状態から省電力状態に切り替え、また、省電力状態から通常動作状態に切り替える。複合機１は、動作状態として、電源オフ、通常動作状態、省電力状態の３つの動作状態を備える。
【００３９】
電源オフは、操作部１３１に設けられた電源キー（不図示）がオフされ、複合機１の各部への電力の供給が停止した状態である。制御部１１０は、電源キーがオフされると、シャットダウンシーケンスを実行して複合機１の電源をオフする。制御部１１０は、シャットダウンシーケンスを実行する場合、実行中の処理を停止させ、又は実行中の処理が完了するまで待機し、ＲＡＭ等に記憶されたデータを記憶部１０７に記憶させた後に、複合機１の各部への電源供給を停止させる。
【００４０】
通常動作状態は、複合機１の各部に電力が供給され、処理の実行指示が入力されるのを待機する状態である。例えば、通常動作状態において、使用者が操作部１３１を操作して処理の実行を指示すると、制御部１１０は、スキャナー部１５０や印刷部１７０を動作させて処理を実行させる。
【００４１】
省電力状態は、電力の供給先が制限され、複合機１の消費電力が通常動作状態に比べ小さい動作状態である。本実施形態の場合、複合機１の動作状態が省電力状態の場合、制御部１１０、ネットワークＩ／Ｆ部１０１、ファクシミリＩ／Ｆ部１０３、開閉検知センサー１４１及び第２原稿検知センサー１４５に電力が供給され、他の部分への電力の供給は停止される。
【００４２】
省電力制御部１１１は、例えば、予め設定された時間、操作を受け付けなかった場合に、複合機１の動作状態を通常動作状態から省電力状態に移行させる。また、省電力制御部１１１は、省電力状態において、操作を受け付けた場合、複合機１の動作状態を、省電力状態から通常動作状態に移行させる。この操作には、例えば、操作部１３１の操作や、原稿台カバー１５３を開く操作、原稿台カバー１５３を閉じる操作等が含まれる。また、ネットワークＩ／Ｆ部１０１がデータを受信する受信動作や、ファクシミリＩ／Ｆ部１０３がファクシミリデータを受信する受信動作も操作に含めることができる。
【００４３】
取得部１１２は、予め設定された条件が成立した場合に、第１原稿検知センサー１４３から入力される検知信号の信号レベルを判定し、原稿台１５１に原稿があるか否かを判定する。
予め設定された条件には、例えば、複合機１の動作状態の変化が検出された場合や、予め設定された操作を受け付けた場合が含まれる。複合機１の動作状態の変化には、複合機１の動作状態が省電力状態から通常動作状態に変化した場合が含まれる。また、予め設定された操作には、操作部１３１の電源キーが押下され、複合機１の電源がオンした場合や、原稿台カバー１５３を開く操作が検出された場合、ＡＤＦ１６０の給紙トレイ１６１に原稿が置かれたことが検出された場合が含まれる。また、給紙トレイ１６１に置かれた原稿の搬送をＡＤＦ１６０が開始したときに、取得部１１２は、予め設定された条件が成立したと判定し、原稿台１５１に原稿があるか否かを判定してもよい。また、複合機１に人感センサーを搭載し、取得部１１２は、人感センサーの検知結果に基づいて原稿台１５１に原稿の置き忘れがあるか否か第１原稿検知センサー１４３の検出信号に基づいて原稿台１５１に原稿があるか否かを判定してもよい。例えば、人感センサーの検知範囲内に人が検知された場合に、第１原稿検知センサー１４３から入力される検知信号に基づいて原稿台１５１に原稿があるか否かを判定してもよい。
【００４４】
また、取得部１１２は、予め設定された条件が成立していない場合には、第１原稿検知センサー１４３から入力される検知信号の信号レベルを判定する動作を行わない。
例えば、ネットワークＩ／Ｆ部１０１がデータを受信したり、ファクシミリＩ／Ｆ部１０３がファクシミリデータを受信したりして、省電力制御部１１１が複合機１の動作状態を省電力状態から通常動作状態に切り替えたときが挙げられる。この場合、取得部１１２は、予め設定された条件が成立していないと判定し、第１原稿検知センサー１４３から入力される検知信号の信号レベルを判定する動作を行わない。
【００４５】
ログイン処理部１１３は、使用者認証を行って使用者を識別する。使用者は、複合機１を使用する場合、操作部１３１を操作して使用者ＩＤやパスワードを入力する。また、複合機１が、ＲＦＩＤ（Radio Frequency Identifier）の読取装置やコードリーダ装置等を備え、タグや、磁気カード、ＩＣカード等に記録された使用者ＩＤや本人情報等を読み取る構成であってもよい。ログイン処理部１１３は、操作部１３１により受け付けた使用者ＩＤやパスワードが、使用者情報テーブル１０９に登録された使用者ＩＤやパスワードに一致するか否かを判定する使用者認証を行う。操作部１３１や、ログイン処理部１１３、記憶部１０７、及び使用者情報テーブル１０９は、本発明の「識別部」に相当する。
【００４６】
ログイン処理部１１３は、操作部１３１により受け付けた使用者ＩＤやパスワードが、登録された使用者ＩＤやパスワードに一致する場合、ログイン処理を行って、使用者に複合機１の使用を許可する。ログイン処理は、使用者ＩＤと、使用者認証に成功した時刻とを対応付けて記憶部１０７に記憶させる処理である。
また、ログイン処理部１１３は、操作部１３１により受け付けた使用者ＩＤやパスワードが、登録された使用者ＩＤやパスワードに一致しない場合、複合機１の使用を許可しない、又は複合機１の機能のうち一部の機能だけを使用できるようにする。例えば、ログイン処理部１１３は、スキャナー部１５０による原稿の読み取りだけを許可する。
【００４７】
また、ログイン処理部１１３は、ログアウトの操作を操作部１３１により受け付けた場合や、一定時間以上操作が検出されない場合に、ログアウト処理を行う。ログアウト処理は、使用者ＩＤと、ログアウト処理を行った時刻とを対応付けて記憶部１０７に記憶させる処理である。ログイン処理部１１３は、ログアウト処理を行うことで、ログイン処理を受け付けるまで複合機１が使用できないようにする、又は一部の機能だけを使用できるようにする。
【００４８】
履歴作成部１１４は、ログインした使用者の操作履歴を作成し、作成した操作履歴を記憶部１０７に記憶させる。記憶部１０７は、本発明の「履歴記憶部」に相当する。履歴作成部１１４は、ログインした使用者の使用者ＩＤに、受け付けた操作を示す情報と、当該操作を受け付けた時刻とを対応付けて操作履歴を作成する。
例えば、履歴作成部１１４が、開閉検知センサー１４１から入力される検知信号に基づいて原稿台カバー１５３を開く操作又は閉じる操作を検知したと仮定する。この場合、履歴作成部１１４は、原稿台カバー１５３を開く操作又は閉じる操作を示す情報と、この操作が検出された時刻とを使用者ＩＤに対応付けて操作履歴を作成する。
また、履歴作成部１１４が、第１原稿検知センサー１４３や第２原稿検知センサー１４５の検知信号に基づいて、原稿台１５１や給紙トレイ１６１に原稿があることを検知したと仮定する。この場合、履歴作成部１１４は、原稿が検知されたことを示す情報と、原稿が検知された場所を示す情報と、原稿が検知された時刻とを使用者ＩＤに対応付けて操作履歴を作成する。
さらに、履歴作成部１１４は、原稿台１５１や給紙トレイ１６１に原稿があることを検知した後に、原稿台１５１や給紙トレイ１６１に原稿がないことを検知したと仮定する。この場合、履歴作成部１１４は、原稿が取り除かれたことを示す情報と、原稿が取り除かれた場所を示す情報と、原稿が取り除かれた時刻とを使用者ＩＤに対応付けて操作履歴を作成する。
この他に、履歴作成部１１４は、スキャンの操作を操作部１３１により受け付けた場合、スキャンの操作と、当該操作を受け付けた時刻とを対応付けて操作履歴を作成する。また、履歴作成部１１４は、印刷の指示を操作部１３１により受け付けた場合、印刷の操作と、当該操作を受け付けた時刻とを対応付けて操作履歴を作成する。
【００４９】
また、履歴作成部１１４は、ログインしていない使用者が複合機１を操作した場合にも、操作履歴を作成して記憶部１０７に記憶させる。この場合、操作履歴には、使用者ＩＤは含まれず、受け付けた操作を示す情報と、当該操作を受け付けた時刻とが含まれる。
【００５０】
特定部１１５は、予め設定された条件が成立し、原稿台１５１に原稿があると取得部１１２により判定された場合に、履歴作成部１１４が作成した操作履歴に基づいて原稿台１５１に原稿を置いた使用者を特定する。
例えば、特定部１１５は、ログイン中の使用者がいる場合、この使用者の使用者ＩＤに対応付けられた操作履歴を参照して、ログイン中の使用者が原稿台１５１に原稿を置いた使用者であるか否かを判定する。例えば、特定部１１５は、原稿台１５１に原稿が検知されたことを示す情報の記録があり、その後に、原稿台１５１から原稿が取り除かれたことを示す記録がない場合、ログイン中の使用者を、原稿台１５１に原稿を置いた使用者として特定する。
【００５１】
また、特定部１１５は、ログイン中の使用者がいない場合、操作履歴を参照して直近に複合機１を操作した使用者を特定する。この使用者には、ログインせずに複合機１を操作した使用者も含まれる。例えば、特定部１１５は、ログインせずに複合機１を操作した使用者を「使用者不定」として処理する。特定部１１５は、操作履歴に記録された時刻が最も遅い（現時刻から最も近い）操作履歴を参照して使用者を特定する。特定部１１５は、使用者を特定すると、この特定した使用者が原稿台１５１に原稿を置いた使用者であるか否かを判定する。特定方法は、ログイン中の使用者に対して行った方法と同一である。
【００５２】
特定部１１５は、上述の処理を繰り返し、記録された時刻が現時刻から近い順に操作履歴を参照して原稿台１５１に原稿を置いた使用者を特定する。特定部１１５は、特定した使用者がログインして複合機１を操作した使用者である場合、この使用者の使用者ＩＤを取得し、取得した使用者ＩＤを報知制御部１１６に出力する。また、特定部１１５は、特定した使用者がログインせずに複合機１を操作した使用者である場合、「使用者不定」を示す情報を報知制御部１１６に出力する。
【００５３】
報知制御部１１６は、原稿台１５１に原稿を置いた使用者が、ログイン中の使用者（複合機１を使用中の使用者）であるか否かに基づき異なる報知を行う。
報知制御部１１６は、特定部１１５から使用者ＩＤが入力された場合、入力された使用者ＩＤがログイン中の使用者の使用者ＩＤであるか否かを判定する。報知制御部１１６は、入力された使用者ＩＤがログイン中の使用者の使用者ＩＤである場合、原稿台１５１に置き忘れの原稿があることを示す表示と、使用者ＩＤに対応する使用者の本人情報とを表示部１３２に表示させる。
【００５４】
また、報知制御部１１６は、入力された使用者ＩＤがログイン中の使用者の使用者ＩＤではない場合、入力された使用者ＩＤに基づいて使用者情報テーブル１０９を参照し、当該使用者ＩＤに対応付けられた許否情報を参照する。
報知制御部１１６は、許否情報として、本人情報の表示を拒否する設定が登録されていた場合、原稿台１５１に置き忘れの原稿があることを示す表示と、複合機１の管理者に置き忘れの原稿を渡すように指示する表示とを表示部１３２に表示させる。また、報知制御部１１６は、許否情報として、本人情報の表示を許可する設定が登録されていた場合、原稿台１５１に置き忘れの原稿があることを示す表示と、使用者ＩＤに対応する使用者の本人情報とを表示部１３２に表示させる。
【００５５】
さらに、報知制御部１１６は、入力された使用者ＩＤがログイン中の使用者の使用者ＩＤではない場合に、入力された使用者ＩＤに対応付けられたメールアドレスを使用者情報テーブル１０９から取得する。そして、報知制御部１１６は、取得したメールアドレス宛に、原稿の置き忘れがある旨と、原稿を置き忘れた複合機１を特定する複合機情報１０８とを含むメッセージを送信してもよい。
【００５６】
また、報知制御部１１６は、特定部１１５から「使用者不定」を示す情報が入力された場合、原稿台１５１に置き忘れの原稿があることを示す表示と、複合機１の管理者に置き忘れの原稿を渡すように指示する表示とを表示部１３２に表示させる。
【００５７】
図４は、制御部１１０の第１の動作を示すフローチャートである。
まず、制御部１１０は、予め設定された条件が成立したか否かを判定する（ステップＳ１）。制御部１１０は、複合機１の動作状態が省電力状態から通常動作状態に変化した場合や、原稿台カバー１５３を開く操作が検出された場合、ＡＤＦ１６０の給紙トレイ１６１に原稿が置かれたことが検出された場合に、予め設定された条件が成立したと判定する。制御部１１０は、予め設定された条件が成立していない場合には（ステップＳ１／ＮＯ）、この条件が成立するまで処理の開始を待機する。また、制御部１１０は、予め設定された条件が成立した場合（ステップＳ１／ＹＥＳ）、第１原稿検知センサー１４３から入力される検知信号に基づいて、原稿台１５１に原稿があるか否かを判定する（ステップＳ２）。制御部１１０は、原稿台１５１に原稿がないと判定した場合（ステップＳ２／ＮＯ）、この処理フローを終了させる。
【００５８】
また、制御部１１０は、原稿台１５１に原稿があると判定した場合（ステップＳ２／ＹＥＳ）、原稿台１５１に原稿を置いた使用者を特定する（ステップＳ３）。制御部１１０は、使用者を特定すると、特定した使用者がログインして複合機１を操作した使用者であるか否かを判定する（ステップＳ４）。制御部１１０は、特定した使用者がログインして複合機１を操作した使用者ではないと判定した場合（ステップＳ４／ＮＯ）、原稿台１５１に原稿の置き忘れがあることを表示部１３２に表示させる（ステップＳ６）。また、制御部１１０は、特定した使用者がログインして複合機１を操作した使用者であると判定すると（ステップＳ４／ＹＥＳ）、特定した使用者のメールアドレスを使用者情報テーブル１０９から取得する。制御部１１０は、取得したメールアドレス宛にメッセージを送信する（ステップＳ５）。このメッセージには、原稿の置き忘れがある旨と、原稿を置き忘れた複合機１を特定する複合機情報１０８とが含まれる。
【００５９】
図５は、制御部１１０の第２の動作を示すフローチャートである。
図５に示すフローチャートのステップＳ１１〜Ｓ１３の動作は、図４に示すフローチャートの動作と同一であるため、説明を省略する。
制御部１１０は、ステップＳ１３において原稿台１５１に原稿を置いた使用者を特定すると、特定した使用者が複合機１を使用しているログイン中の使用であるか否かを判定する（ステップＳ１４）。制御部１１０は、特定した使用者が、ログイン中の使用者であると判定した場合（ステップＳ１４／ＹＥＳ）、ログイン中の使用者の氏名、所属部署、メールアドレスとを含む本人情報を表示部１３２に表示させる（ステップＳ１５）。また、制御部１１０は、原稿台１５１に原稿があることを示す表示（確認表示）を表示部１３２に表示させる（ステップＳ１５）。
【００６０】
また、制御部１１０は、特定した使用者がログイン中の使用者ではないと判定した場合（ステップＳ１４／ＮＯ）、特定した使用者が過去にログインした使用者であるか否かを判定する（ステップＳ１６）。制御部１１０は、特定した使用者が過去にログインした使用者であると判定すると（ステップＳ１６／ＹＥＳ）、使用者情報テーブル１０９を参照して、この特定した使用者が、本人情報の表示を許可した使用者であるか否かを判定する（ステップＳ１７）。制御部１１０は、特定した使用者が本人情報の表示を許可していると判定すると（ステップＳ１７／ＹＥＳ）、原稿台１５１に置き忘れの原稿があることを示す表示と、特定した使用者の本人情報とを表示部１３２に表示させる（ステップＳ１８）。また、制御部１１０は、置き忘れの原稿を、本人情報に該当する使用者に届けてほしい旨を表示したメッセージを表示部１３２に表示させる。
【００６１】
また、制御部１１０は、特定した使用者が本人情報の表示を許可していない場合（ステップＳ１７／ＮＯ）、原稿の置き忘れがあることを表示部１３２に表示させる。また、制御部１１０は、特定した使用者がログインして複合機１を操作した使用者ではないと判定した場合（ステップＳ１６／ＮＯ）にも、原稿の置き忘れがあることを表示部１３２に表示させる（ステップＳ１９）。
【００６２】
以上説明したように本実施形態の複合機１は、原稿を光学的に読み取る機能を備える。また、複合機１は、ログイン処理部１１３、記憶部１０７、スキャナー部１５０、第１原稿検知センサー１４３と、印刷部１７０と、取得部１１２と、特定部１１５と、報知制御部１１６とを備える。
ログイン処理部１１３は、複合機１を使用する使用者を識別する。
記憶部１０７は、ログイン処理部１１３により識別された使用者を示す使用者情報を記憶する。
スキャナー部１５０は、原稿台１５１に配置された原稿を光学的に読み取る。
第１原稿検知センサー１４３は、原稿台１５１における原稿の有無を検知する。
印刷部１７０は、スキャナー部１５０の読取結果に基づき記録媒体に画像を形成する。
取得部１１２は、予め設定された条件に該当する複合機１の動作状態の変化又は複合機１に対する操作が生じた場合に第１原稿検知センサー１４３の検知結果を取得する。
特定部１１５は、取得部１１２により原稿が配置されていることを示す検知結果が取得された場合に、検知された原稿を使用した使用者を、使用者情報に基づき特定する。
報知制御部１１６は、特定部１１５が特定した使用者と、複合機１を使用中の使用者とが同一であるか否かを判定した結果に基づき異なる報知を実行する。
従って、複合機１を使用中の使用者に対して効果的な報知を行い、原稿の置き忘れや紛失を効果的に抑制することができる。
【００６３】
また、複合機１は、表示部１３２を備える。
報知制御部１１６は、特定部１１５が特定した使用者と、複合機１を使用中の使用者とが同一である場合と同一でない場合とで、表示部１３２に異なる表示を実行させる。
従って、複合機１を使用中の使用者に効果的な表示を表示させて、原稿の置き忘れや紛失を効果的に抑制することができる。
【００６４】
また、報知制御部１１６は、特定部１１５が特定した使用者と、複合機１を使用中の使用者とが同一でない場合に、特定部１１５が特定した使用者に関する情報を表示部１３２に表示させる。
従って、複合機１を使用中の使用者に、原稿を使用した使用者に関する情報を通知することができ、原稿の紛失を効果的に抑制することができる。
【００６５】
また、複合機１は、履歴作成部１１４を備える。履歴作成部１１４は、ログイン処理部１１３により識別された使用者情報と、スキャナー部１５０により原稿を読み取る機能を使用した履歴を記憶部１０７に記憶させる。
従って、原稿を読み取る機能を使用した使用者の使用者情報を特定することができる。
【００６６】
また、複合機１は、省電力制御部１１１を備える。省電力制御部１１１は、複合機１の動作状態を、通常動作状態と、通常動作状態に比べ消費電力が小さい省電力状態とに切り替える。
取得部１１２は、省電力制御部１１１が省電力状態から通常動作状態に切り替えたときに第１原稿検知センサー１４３の検知結果を取得する。
従って、複合機１が使用されるときに原稿台１５１における原稿の有無を検知して、原稿台１５１に原稿がある場合には報知を行うことができる。
【００６７】
また、複合機１は、データを受信するネットワークＩ／Ｆ部１０１を備える。
省電力制御部１１１は、省電力状態で通信部によりデータを受信した場合に、複合機１の動作状態を省電力状態から通常動作状態に切り替える。印刷部１７０は、ネットワークＩ／Ｆ部１０１で受信したデータに基づきシートＳに画像を形成する。取得部１１２は、ネットワークＩ／Ｆ部１０１でデータを受信したことを契機として省電力制御部１１１が省電力状態から通常動作状態に切り替えたときに、第１原稿検知センサー１４３の検知結果を取得しない。
従って、複合機１の周囲に使用者がいない場合に、無駄な報知を行わないようにすることができる。
【００６８】
また、原稿台１５１を覆う開閉可能な原稿台カバー１５３を備える。
取得部１１２は、スキャナー部１５０が停止中にカバーが開かれた場合に、第１原稿検知センサー１４３の検知結果を取得する。
従って、原稿台カバー１５３が開かれ、使用者が複合機１を使用していると判定される場合に、原稿台１５１における原稿の有無を検知し、原稿台１５１に原稿がある場合には報知を行うことができる。
【００６９】
また、スキャナー部１５０は、原稿を光学的に読み取り可能な第２読取位置を有する。また、スキャナー部１５０は、原稿を第２読取位置に搬送し、第２読取位置から待機位置に原稿を搬送するＡＤＦ１６０を備える。
取得部１１２は、ＡＤＦ１６０が原稿を搬送する際に、第１原稿検知センサー１４３の検知結果を取得する。
従って、複合機１の周囲に使用者がいる場合に、報知を行うことができる。
【００７０】
上述した実施形態は本発明の好適な実施の形態である。ただし、これに限定されるものではなく、本発明の要旨を逸脱しない範囲内において種々の変形実施が可能である。
例えば、図１に示した複合機１の各部は、機能的構成を示すものであって、具体的な実装形態は特に制限されない。つまり、必ずしも各機能部に個別に対応するハードウェアが実装される必要はなく、一つのプロセッサーがプログラムを実行することで複数の機能部の機能を実現する構成とすることも勿論可能である。また、上記実施形態においてソフトウェアで実現される機能の一部をハードウェアで実現してもよく、また、ハードウェアで実現される機能の一部をソフトウェアで実現してもよい。
【００７１】
また、図４及び図５に示すフローチャートの処理単位は、複合機１の処理を理解容易にするために、主な処理内容に応じて分割したものである。図４及び図５のフローチャートに示す処理単位の分割の仕方や名称によって本発明が制限されることはない。また、制御部１１０の実行する処理は、処理内容に応じて、さらに多くの処理単位に分割することもできるし、１つの処理単位がさらに多くの処理を含むように分割することもできる。また、上記のフローチャートの処理順序も、図示した例に限られるものではない。
【符号の説明】
【００７２】
１…複合機、５…コンピューター、１０…ネットワーク、２０…ファックス回線網、１００…コントローラー、１０１…ネットワークＩ／Ｆ部、１０３…ファクシミリＩ／Ｆ部、１０５…入出力Ｉ／Ｆ部、１０７…記憶部、１０８…複合機情報、１０９…使用者情報テーブル、１１０…制御部、１１１…省電力制御部、１１２…取得部、１１３…ログイン処理部、１１４…履歴作成部、１１５…特定部、１１６…報知制御部、１２０…バス、１３０…操作パネル、１３１…操作部、１３２…表示部、１４１…開閉検知センサー、１４３…第１原稿検知センサー、１４５…第２原稿検知センサー、１５０…スキャナー部、１５１…原稿台、１５２…読み取り窓、１５３…原稿台カバー、１５５…キャリッジ駆動部、１５７…イメージセンサー、１５９…キャリッジ、１６０…ＡＤＦ、１６１…給紙トレイ、１６３…搬送ローラー、１６５…排紙トレイ、１６７…駆動モーター、１７０…印刷部、１８０…電源部。
【図１】
2019097086.tif 000003
【図２】
2019097086.tif 000004
【図３】
2019097086.tif 000005
【図４】
2019097086.tif 000006
【図５】
2019097086.tif 000007